(57)【要約】【課題】  調節力が得られるとともに好適な視力を得ることのできる眼内レンズを提供する。【解決手段】  患者眼の人水晶体の代替物として眼内の水晶体嚢に収められる眼内レンズにおいて、親水性材料から構成されており、膨潤することによって人水晶体と略一致する形状を有しつつ人水晶体と同等の弾性力を得る第１光学部と、第１光学部の前面または後面に接合されるとともに第１光学部によって得られる屈折力に対して補完する屈折力を有する第２光学部と、を有する。【選択図】      図１
2005073890.tif 000002
【特許請求の範囲】
【請求項１】
患者眼の人水晶体の代替物として眼内の水晶体嚢に収められる眼内レンズにおいて、親水性材料から構成され膨潤することによって人水晶体と略一致する形状を有しつつ該人水晶体と同等の弾性力を得る第１光学部と、該第１光学部によって得られる屈折力に対して補完する屈折力を有する第２光学部と、を有することを特徴とする眼内レンズ。
【請求項２】
請求項１の眼内レンズにおいて、前記第２光学部は前記第１光学部の前面又は後面に接合されていることを特徴とする眼内レンズ。
【請求項３】
請求項２の眼内レンズにおいて、前記第１光学部における膨潤前の径は、前記第２光学部の径よりも小さいことを特徴とする眼内レンズ。
【請求項４】
請求項２の眼内レンズにおいて、前記第１光学部と第２光学部とは両光学部に共重合可能なモノマーを含有する接合剤により接合されていることを特徴とする眼内レンズ。
【発明の詳細な説明】
【技術分野】
【０００１】
本発明は、患者眼の水晶体の代替として用いられる眼内レンズに関する。
【背景技術】
【０００２】
従来、水晶体を取り除いた後に眼内に設置される眼内レンズが知られている。眼内レンズは所定の屈折力を有する光学部と、この光学部を眼内にて支持する支持部とから構成されており、白内障となった混濁した水晶体を超音波乳化吸引術により水晶体嚢から取り除いた後に、眼内レンズを水晶体嚢内にて固定支持させることによって水晶体の代替をさせるようにしている。また、従来の眼内レンズは調節力を有しないため、親水性ポリマーを含有してなる水晶体嚢直接注入剤を用いて水晶体が取り除かれた嚢内に充填し、注入剤を充填した細孔を塞ぐことによって、調節力を有した代替水晶体を得ようとする技術も開示されている（特許文献１参照）。
【特許文献１】特開２００１−２５２３００号公報
【発明の開示】
【発明が解決しようとする課題】
【０００３】
しかしながら、水晶体嚢に親水性ポリマーを含有してなる直接注入剤を充填する方法では、その後水晶体嚢から漏出してしまう恐れがある。また、このような親水性ポリマーの屈折率は人水晶体の屈折率に比べ低いため、水晶体嚢に充填することによって調節力が得られたとしても好適な視力得ることができないという問題がある。
上記従来技術の問題点に鑑み、調節力が得られるとともに好適な視力を得ることのできる眼内レンズを提供することを技術課題とする。
【課題を解決するための手段】
【０００４】
上記課題を解決するために、本発明は以下のような構成を備えることを特徴とする。
（１）  患者眼の人水晶体の代替物として眼内の水晶体嚢に収められる眼内レンズにおいて、親水性材料から構成され膨潤することによって人水晶体と略一致する形状を有しつつ該人水晶体と同等の弾性力を得る第１光学部と、前記第１光学部によって得られる屈折力に対して補完する屈折力を有する第２光学部と、を有することを特徴とする。
（２）  （１）の眼内レンズにおいて、前記第２光学部は前記第１光学部の前面又は後面に接合されていることを特徴とする。
（３）  （２）の眼内レンズにおいて、前記第１光学部における膨潤前の径は、前記第２光学部の径よりも小さいことを特徴とする。
（４）  （２）の眼内レンズにおいて、前記第１光学部と第２光学部とは両光学部に共重合可能なモノマーを含有する接合剤により接合されていることを特徴とする。
【発明の効果】
【０００５】
本発明の眼内レンズによれば、人水晶体の代替として必要な屈折力を有しつつ、調節力を得ることができる。
【発明を実施するための最良の形態】
【０００６】
本発明の実施の形態を図面に基づいて説明する。図１は本発明を適用した眼内レンズの構成を示した図である。
図１（ａ）は眼内レンズ１を正面から見た図であり、図１（ｂ）は眼内レンズ１を側面から見た図である。眼内レンズ１は所定の屈折力を有する第１光学部２と、第１光学部２の前面に接合される第２光学部３とから構成される。第１光学部２は親水性の眼内レンズ基材から形成されており、眼内の水晶体嚢に設置された後、体液によって含水し膨潤することによってゲル化し、含水飽和時には人水晶体と略一致する形状となる。人水晶体と略一致する形状とは、水晶体嚢に収められた第１光学部２が毛様体の緊張、弛緩によってその曲率（屈折力）を変化させることが可能な形状であればよいが、好ましくは毛様体の緊張により人水晶体の屈折力がもっとも大きくなる際の形状に近いものであればよい。
【０００７】
このような親水性の眼内レンズ基材は、水に溶解してしまう程度の高親水性材料を主材料とし、水に溶解しない程度の親水性を有した材料、または疎水性材料を副材料として、これら主材料及び副材料のモノマーを適宜配合し共重合させることによって得ることができる。主材料として用いる親水性材料は、例えばビニルピロリドンやポリエチレングリコール等が挙げられる。また、副材料としては、ヒドロキシエチルメタクリレート，エチレングリコールメチルエーテルメタクリレート，フェニルエーテルメタクリレート等の（メタ）アクリレート類やアクリルアミド，ビニルラクタム類等を用いることができる。主材料は作成する眼内レンズ基材において、好ましくは６０重量％以上９５重量％以下であり、さらに好ましくは９０重量％以上９５重量％以下である。また、副材料は作成する眼内レンズ基材において、好ましくは５重量％以上４０重量％以下であり、さらに好ましくは５重量％以上１０重量％以下である。
【０００８】
また、これらの主材料と副材料との共重合物を用いて眼内レンズ基材を得る場合には、必要に応じて架橋剤、重合開始剤が用いられる。架橋剤は具体的にはエチレングリコールジメタクリレート，ポリエチレングリコールジメタクリレート，ジエチレングリコールジメタクリレート，トリエチレングリコールジメタクリレート等のジメタクリル酸エステルや、その他眼内レンズ基材の作成に架橋剤として使用可能な材料が挙げられる。また、重合開始剤としては、アゾビスイソブチロニトリル，アゾイソブチロバレロニトリル，ベンゾイン，メチルオルソベンゾイルベンゾエート等の眼内レンズ基材の形成に重合開始剤として使用可能な材料が挙げられる。架橋剤や重合開始剤は微量であり、眼内レンズ基材全体の１重量％以下程度である。
【０００９】
また、このような各種材料を用いて作成される第１光学部２形成用の眼内レンズ基材は、含水率が好ましくは７０％〜９５％、さらに好ましくは８０％〜９０％程度であり、膨張率は２００％〜３００％程度であるとともに、含水飽和時（膨張した状態）において人水晶体と同程度の弾性力を有するような特性を有するように、主材料や副材料等の各組成材料の配合比が決定されている。
【００１０】
第２光学部３は第１光学部２の前面及び後面の曲率、並びに基材の屈折率によって得られる屈折力をさらに補完するために用いられる。本実施形態で用いられる第１光学部２は含水飽和時に人水晶体と同程度の弾性力を有するように形成されているが、前述した主材料及び副材料の共重合体物の屈折率は、人水晶体の屈折率（約1.43）よりも低くなってしまう。このため図１に示すように第２光学部３を第１光学部２の前面に接合させることにより、所望する屈折力（視力矯正を行うのに必要な屈折力）が得られるようにしている。
【００１１】
第２光学部３は従来用いられている眼内レンズ基材を使用することができる。例えばポリメチルメタクリレート等からなる折り曲げることのできない眼内レンズ基材や、メタクリル酸エステルとアクリル酸エステルとの共重合物からなるアクリル樹脂、及びシリコーン等からなる折り曲げ可能な眼内レンズ基材を挙げることができる。なお、第２光学部３は第１光学部２に影響を及ぼさないために、疎水性の眼内レンズ基材にて形成することが好ましい。なお、第２光学部３の曲率は、第１光学部２が有する屈折力を補完して眼内レンズ１全体として所望する屈折力が得られるように決定されている。
【００１２】
また、第１光学部２前面の光学中心と第２光学部３後面の光学中心とは接合剤にて接合されている。第１光学部２と第２光学部３との接合は、光学中心同士の接合に限るものではないが第１光学部２は膨潤するため、容易に剥がれることがなく接合範囲はできるだけ狭い方が好ましい。また、接合剤は眼内レンズ基材を侵さない既知の接着剤を用いることができる。また、第１光学部２及び第２光学部３の眼内レンズ基材に用いた材料のモノマーを複数混合し、これを接合材料として用いることによって両光学部を共重合によって接合させることができる。なお、第２光学部３の径は、従来用いられている眼内レンズの径（約５mm〜７mm）と同程度である。また、第１光学部２の径は基材の膨張率にもよるが、患者眼への挿入を鑑みるとできるだけ小さい方がよく、図１に示すように第２光学部３の径よりも小さい方が好ましい。
【００１３】
また、このような光学部（第１光学部２及び第２光学部３）の形成は、例えば型内に眼内レンズ基材となるモノマーの混合液を流し込んでおき、重合硬化させることによって、所望する形状を得てもよいし、モノマーの混合液を板状に重合硬化させた後、切削加工によって所望する形状を得ることもできる。
【００１４】
以上のような構成を備える眼内レンズにおいて、その実施態様を図２に示し説明する。
図２（ａ）に示すように、患者眼Ｅの水晶体嚢（前嚢）は、膨潤していない第１光学部２を嚢内に入れることができるだけの大きさ切開創が形成され、既知の超音波乳化吸引術により人水晶体を取り除いておく。眼内レンズ１は図示なき患者眼Ｅの角膜に設けられた切開創から鑷子等により眼内に入れられ、眼内レンズ１の第１光学部２は水晶体が取り除かれた水晶体嚢内に、第２光学部３は嚢外に位置するように鑷子等にて保持される。第１光学部２は眼内に入れられた時点から体液によって含水して膨潤するため、水晶体嚢に設けた切開創から抜け出難くなる程度に膨張したら眼内レンズ１を鑷子から開放し、含水飽和時まで患者を安静にさせておく。
【００１５】
眼内レンズ１の第１光学部２は眼内にて所定時間経過し、完全に含水した状態になると図２（ｂ）に示すように人水晶体と略一致する形状まで膨張し、水晶体嚢にて眼内に保持されることとなる。また、第１光学部２が人水晶体と略一致する形状まで膨張すると、人水晶体と同程度の弾性力を有するようになる。なお、第１光学部２及び第２光学部３の眼内における設置位置が多少ずれていても、第１光学部２は含水飽和時に人水晶体と略一致する形状になるため、含水飽和時には第１光学部２及び第２光学部３の眼内における設置位置が適正な位置に補正されていることとなる。なお、第１光学部２は流動性を持たないため、完全に膨張した状態では水晶体嚢の切開創から漏出することはない。
【００１６】
図２（ｂ）に示すように、第１光学部２が水晶体嚢内にて完全に膨張し、人水晶体と略一致する形状となると、第１光学部２及び第２光学部３による屈折力により患者は適正な視力が得られるようになる。また、遠用視をする場合には、毛様体が弛緩することにより水晶体嚢が外側に向かって引っ張られるため、第１光学部２は薄くなり屈折力は弱くなる。その結果遠用視においても適正な視力が得られやすくなる。また反対に、近用視では毛様体が緊張することにより、第１光学部２は厚くなり屈折力は強くなる。その結果近用視においても適正な視力が得られやすくなる。
【００１７】
以上のように、本実施形態では第１光学部２を嚢内に置き、第２光学部３を嚢外に置くものとしているが、これに限るものではない。図３（ａ）に示すように第１光学部２及び第２光学部３を水晶体嚢の中に収めることもできる。このような構成では、第１光学部２と前嚢との間に挟まれるようにして第２光学部３が嚢内に置かれるため、第２光学部３の固定保持をより確実に行うことができる。また、図３（ｂ）に示すように、第１光学部２の後面に第２光学部３の前面を接合して、両光学部とも嚢内に置くようにすることもできる。
【図面の簡単な説明】
【００１８】
【図１】本実施形態の眼内レンズの構成を示した図である。
【図２】本実施形態の眼内レンズを眼内に設置した状態を示した図である。
【図３】本実施形態の眼内レンズの変容例を示した図である。
【符号の説明】
【００１９】
１  眼内レンズ
２  第１光学部
３  第２光学部
【図１】
2005073890.tif 000003
【図２】
2005073890.tif 000004
【図３】
2005073890.tif 000005